(57)【要約】      （修正有）【課題】椅子の利用者が、手荷物や貴重品などの物品を椅子を使用しながら収納することができ、前記利用者が椅子の使用をやめ椅子から立ち去ろうとするときでも、うっかりして物品を置き忘れる恐れを低減させる物品収納手段を備えた椅子の提供。【解決手段】  椅子１０は座部１３と背凭れ部１５と脚部１４で構成されており、座部１３は着座部１１と座板１２で形成され、２０は載置台であり、１６はレール金具であり、レール金具１６はレール金具とレール金具で一対になっており、作動金具２３は作動金具と作動金具で一対になっている。レール金具と作動金具は互いに摺動自在に嵌合するように形成させてあり、レール金具と作動金具は互いに摺動自在に嵌合するように形成させることで、載置台２０が座部下側１３ｂにて出し入れ自在になる。【選択図】        図３
2005323985.tif 000002
【特許請求の範囲】
【請求項１】
椅子の基本要素であり人体が着座する部位である座部の下側に物品を載置するための載置台を出し入れ自在になるような技術的手段で設けたことを特徴とする、物品載置台付の椅子。
【請求項２】
前記座部の下側に前記載置台を設ける位置として、前記載置台を前記座部の下側に収納した場合に、前記載置台の一部が前記座部の周縁部からはみ出さないように設けたことを特徴とする、請求項１に記載の物品載置台付の椅子。
【請求項３】
前記椅子の座部の下側に前記載置台を設ける位置として、前記座部が着座部と座板で構成されている場合には、前記載置台は着座部と座板の間または座板の下側または上側に設けることを特徴とする、請求項１に記載の物品載置台付の椅子。
【請求項４】
前記載置台を出し入れ自在にする技術的手段として、前記座部の下側または前記座板の下面または上側の所定部位に所定寸法の一対のレール金具を対向かつ所定の間隔で固定し、所定寸法で所定形状の前記載置台の上面の所定部位に前記レール金具と摺動自在に嵌合するようにした一対の作動金具を固定したことで、前記載置台が所定の距離をスライドしたり元の位置に収納したりすることを特徴とする、請求項１から請求項３のいずれかに記載の物品載置台付の椅子。
【請求項５】
前記載置台を出し入れ自在にする技術的手段として、所定寸法で所定形状の前記載置台の一端および対向する他端が摺動自在に嵌合するようにした一対のスライドレールまたは一つのスライド金具を前記座部の下側または前記座板の下面または上側の所定部位に固定したことで、前記載置台が所定の距離をスライドしたり元の位置に収納したりすることを特徴とする、請求項１から請求項３のいずれかに記載の物品載置台付の椅子。
【請求項６】
前記載置台を出し入れ自在にする技術的手段として、所定寸法で所定形状の前記載置台の一部または全体を収納できるようにし少なくとも一端に開口部を有する筒型形状または箱型形状を形成し、前記形状を前記載置台の下面または／及び上面または／及び両側面が摺動自在になるようにし前記座部の下側または前記座板の下面または上側の所定部位に固定したことで、前記載置台が所定の距離をスライドしたり元の位置に収納したりすることを特徴とする、請求項１から請求項３のいずれかに記載の物品載置台付の椅子。
【請求項７】
前記載置台を出し入れ自在にする技術的手段として、前記載置台が長手方向または横手方向に対して伸縮可能になるような構造体であり、前記伸縮構造体が少なくとも複数以上の所定寸法で所定形状の収納構造体で構成され、前記載置台を前記座部の下側または前記座板の下面または上側の所定部位に固定したことで、前記載置台が所定の距離をスライドしたり元の位置に収納したりすることを特徴とする、請求項１から請求項３のいずれかに記載の物品載置台付の椅子。
【発明の詳細な説明】
【技術分野】
【０００１】  本発明は、椅子の基本要素であり人体が着座する部位である座部の下側に物品を載置するための載置台を出し入れ自在になるような技術的手段で設けたことを特徴とする、物品載置台付の椅子に関するものである。
【背景技術】
【０００２】  従来の一般的に用いられている椅子は、人体の臀部を設置させる座部が基本になり、必要に応じて人体の腰部や背部を支える背凭れ部や肘部を設置する肘掛け部が設けてあり、必要に応じて座部と地面または床面の間に少なくとも一つまたは複数以上の脚部または脚柱または支柱を設けてあり、また一般的には座部は着座部と座板で構成されている場合が多い。
また、近年になって、上記の椅子の着座部の先端部に必要に応じて足載台を設けているタイプも知られるようになってきた。【０００３】  また、近年では、パチンコ台やスロットマシーンやＴＶ装置やビデオ装置やコンピュータ装置を利用したゲーム機などを設置した遊技場やゲームセンターなどに設置する椅子やその周辺に顧客の不便を解消する機能を備えた椅子の開発例が知られるようになってきた。
また例えば、一般的に普及している遊技機械のひとつであるパチンコ台は、日本で誕生したオリジナル遊技機械であるせいか、前記遊技機械の下部や上部または周辺部には「玉箱」や遊技者の持参物などを載置できる台やスペースを有している場合が多い。
また例えば、一般的に普及している遊技機械のひとつであるスロットマシーンの場合は、カジノの文化を踏襲しているせいか、前記遊技機械の下部や上部または周辺部には「コイン箱」や遊技者の持参物などを載置できる台やスペースが無いのが普通である。【０００４】  そこで、近年になって下記のような開発案件が増加してきた。
例えば、脚部と、脚部に設けた座部と、この座部の後部に垂設した背凭れ部とよりなる椅子に於いて、前記座部と背凭れ部とよりなる椅子に於いて、前記座部と背凭れ部とに収容部を設けて、該収容部を構成する座部の座板と、背凭れ部の背凭れ板とを開閉自在に設けたことで、手荷物などを収納することができるようになり、また、収納部を引き出し式にする椅子の案件が知られている。（実開昭６３−４７７５０号公報を参照する）【０００５】  また、例えば、座部の下方にスライドフレームを介して収納袋部を開閉可能に設けて手荷物などの物品が収納されていることを知らせる遊戯場用椅子の提供を目的とし、その構成として、支脚上に座部を有しており、該座部の下方に伸縮自在なスライドフレームを取付け、該スライドフレームには後方を椅子側に固定した可撓性を有する収納袋部の上記開口側の辺を作動フレームに沿わせてコ字状に開き、作動フレームを外方へ引き出すことにより収納袋部の開口を座部より外側へ開く開位置とし、スライドフレームを引き戻すことによって収納袋部の開口を座部の内側とする閉位置に変位することができる遊戯場用椅子が知られている。（特開平１０−９４４５５号公報を参照する）
【発明の開示】
【発明が解決しようとする課題】
【０００６】  ところが、従来の一般的な椅子には、人間が生活するに当たって生じる数々の不便を解消して欲しいという要望に応えきれていないという指摘があった。
例えば、一般的な遊戯場やゲームセンターなどの椅子は単に床面に脚柱を固定し、その脚柱の上端に着座部をそのまま固定、ないし回動自在に設けると共に背もたれを設けたものが一般的に用いられている。そのため、ゲームを遊戯する人が手荷物を持っていた場合は、その手荷物を置く特別の場所がなく、椅子の下方の適当な所に置くなどしていたが、手荷物が邪魔になるだけでなく、手荷物を汚したり、盗難の虞れなどの問題があった。【０００７】  また、例えば、スロットマシーンや、その他コイン体を使用する遊技機械を使って遊技に興じる際に、前記遊技機械より払い出されるコイン体が、一般的に遊技場で使用されている一つのコイン箱の許容量以上に放出された場合、遊技場に設置してある他の「コイン箱」にコイン体を移すが、この際「コイン箱」を固定しているのは、遊技している遊技者の両足で支えている。
また、遊技者が、例えばパチンコ台や、その他球体を使用する遊技機械を使って遊技に興じる際に、前記遊技機械より払い出される球体が、一般的に遊技場で使用されている一つの「玉箱」の許容量以上に放出された場合、遊技場に設置してある他の「玉箱」に球体を移すが、遊技機械より払い出される球体が多数になった場合に、パチンコ台の下部に有してある玉箱の載置スペースでは不足して、床に置いたり両足に載せている場合が多い。【０００８】  また、例えば、上記の実開昭６３−４７７５０号公報の手荷物などを収納することができ収納部を引き出し式にする椅子や、特開平１０−９４４５５号公報のスライドフレームを引き戻すことによって収納袋部の開口を座部の内側とする閉位置に変位することができる遊戯場用椅子では、手荷物や貴重品などの物品を収納することができるが、物品は完全に覆われてしまうのでこれらの物品を収納したまま、椅子の使用者がうっかりして置き忘れる恐れがあった。【０００９】  本発明は、上記問題点を解決するために成されたものであり、椅子に着座した椅子の利用者は、前記利用者の手荷物や貴重品などの物品を椅子を使用しながら収納することができ、前記利用者が椅子を使用をやめ椅子から立ち去ろうとするときでも、椅子の使用者がうっかりして物品を置き忘れる恐れを低減させることを可能とする物品収納手段を備えた椅子の提供を目的とする。
また、前記物品収納手段を備えた椅子において、前記物品収納手段が不使用時の場合では、前記椅子の利用者並びに周辺にいる人々に邪魔にならないように収納できるようにする事を目的とする。
また、主にパチンコ台やスロットマシーンなどの遊技機械を設置した遊戯場やその他一般的に知られている遊技機械を設置したゲームセンターなどにおいて、これらの遊技者が、例えばパチンコ台からの「玉箱」や例えばスロットマシーンからの「コイン箱」がメーカー規格の「受け皿」以上になった場合でも、設置場所を追加できるようになっていることで、前記遊技者が快適に遊技できるようにする椅子の提供を目的とする。
【課題を解決するための手段】
【００１０】  課題を解決するための第一の手段として、椅子の基本要素であり人体が着座する部位である座部の下側に物品を載置するための載置台を出し入れ自在になるような技術的手段で設けたことを特徴とする、物品載置台付の椅子の提供を目的とする。【００１１】  前記椅子に関しては、一般的に知られている椅子であれば、人体の臀部を設置させる座部だけのタイプ、座部に人体の背部を支える背凭れ部を設けたタイプ、座部に人体の腕部を支える肘掛け部を設けたタイプ、座部の下側に地面や床面との距離を持たせ必要に応じて調節可能にした脚部や支柱や支脚を一つまたは複数以上設けたタイプ、また前記の脚部や支柱を地面や床面と着脱自在にしたタイプや、前記の脚部や支柱や支脚を地面や床面と固定できるようにしたタイプや、折畳み椅子などを用いることができる。
また前記椅子に関しては、事務用椅子、遊戯場用椅子、ゲームセンター用椅子、劇場用椅子、食卓用椅子（家庭用、業務用）、学習机用椅子、学校用椅子、病院用椅子、介護施設用椅子、作業用椅子（主に物品の加工用）、公園用椅子、図書館用椅子、理容店用椅子、美容店用椅子、長いす、デッキチェア、腰掛け椅子、座椅子、幼児用ハイチェアー、などの移動可能用または固定用の椅子に利用できる。【００１２】  また、前記座部に関しては、本発明では任意の寸法・形状で構わなないが、一般的には略方形や略円形の場合が多く、量産性という観点ではこの方が好ましい。
また、前記物品に関しては、一般的には不動産以外の有体物（人間以外で、空間の一部を占める有形的存在である物）をいい、本発明では、人間（１０代から８０代の平均的な男女）が片手または両手で持つことが可能な重量かつ形状の物体をいう。
また、前記載置台に関しては、本発明では任意の寸法・厚み・形状で構わないが、前記の座部の下側に設けることを考慮すると、前記座部の寸法・厚み・形状に合わせて設計されることが好ましい。また、前記載置台の材質に関しては、木質系や金属やプラスチックやセラミックの板体や板状に加工した物の中から選択して用いればよい。
また、前記載置台を出し入れ自在になるような技術的手段に関しては、前記載置台が前記座部の下側に、好ましくは一見すると何処に設置されているかが前記座部の上側からは見えない状態で収納された状態から、前記載置台が引張り手段または引出し手段または押出し手段または引伸ばし手段または伸縮手段によって、前記載置台が引張り出されるかまたは引き出されるかまたは押し出されるかまたは引き伸ばされ前記物品を前記座部の周囲の任意の位置に水平状態で載置することが可能になり、前記載置台の使用を終了した後は元の位置に収納されることで好ましくは一見すると何処に収納されているかが前記座部の上側からは見えない状態で前記座部の下側に固定されることが可能な技術的手段であれば何を用いてもよく特に制限はない。【００１３】  課題を解決するための第二の手段として、前記座部の下側に前記載置台を設ける位置として、前記載置台を前記座部の下側に収納した場合に、前記載置台の一部が前記座部の周縁部からはみ出さないように設けたことを特徴とする、課題を解決するための第一の手段に記載の物品載置台付の椅子の提供を目的とする。【００１４】  前記座部の下側に前記載置台を設ける位置に関しては、前記座部に直接固定させるようにしてもよいし、例えば、前記座部と地面または床面の間に少なくとも一つまたは複数以上の脚部または脚柱または支柱を設けてある椅子に前記載置台を設ける場合には、前記の脚部または脚柱または支柱の任意の位置に技術的手段を用いて固定させるようにしてもよい。【００１５】  課題を解決するための第三の手段として、前記椅子の座部の下側に前記載置台を設ける位置として、前記座部が着座部と座板で構成されている場合には、前記載置台は着座部と座板の間または座板の下側または上側に設けることを特徴とする、課題を解決するための第一の手段に記載の物品載置台付の椅子の提供を目的とする。【００１６】  前記座部に関しては、人体の臀部が直接接触する部位であることで、柔軟性または弾力性または可撓性を有する素材で構成されているのが好ましいが、柔軟性または弾力性または可撓性を有していない素材で構成されていても構わない。
前記着座部に関しては、前記座部が柔軟性または弾力性または可撓性を有する素材で構成されている場合は、前記座部の下側に前記載置台を固定する関係で、前記座部が着座部と座板で構成されていることが好ましく、前記着座部が柔軟性または弾力性または可撓性を有する素材で構成されているのが好ましく、前記座板が所定の強度や硬さを備えているのが好ましい。
前記座板の材質に関しては、木質系や金属やプラスチックやセラミックの板体や板状に加工した物の中から選択して用いればよい。【００１７】  課題を解決するための第四の手段として、前記載置台を出し入れ自在にする技術的手段として、前記座部の下側または前記座板の下面または上側の所定部位に所定寸法の一対のレール金具を対向かつ所定の間隔で固定し、所定寸法で所定形状の前記載置台の上面の所定部位に前記レール金具と摺動自在に嵌合するようにした一対の作動金具を固定したことで、前記載置台が所定の距離をスライドしたり元の位置に収納したりすることを特徴とする、課題を解決するための第一の手段から課題を解決するための第三の手段のいずれかに記載の物品載置台付の椅子の提供を目的とする。【００１８】  前記の座部または座板の下面または上側の所定部位に関しては、前記座部の周縁部や前記座板の周縁部からはみ出さない状態であり、前記周縁部内であれば任意の部位で構わない。
前記の所定寸法の一対のレール金具に関しては、一対のレール金具を前記の座部の下側または座板の下面または上側の所定部位に設けようとする場合に、前記の周縁部内からはみ出さない寸法であるということである。
前記のレール金具を対向かつ所定の間隔に関しては、一対のレール金具を対向させる場合に前記載置台の寸法や前記座部または前記座板の寸法に合わせてこの所定の間隔が設計されることが好ましい。
前記の一対のレール金具の材質に関しては、金属製でも木製でもプラスチック製でも構わないが、金属製であれば耐久性の問題とメンテナンス性の問題とコストパフォーマンスの問題でステンレス製または亜鉛鍍金鋼板またはアルミ板またはアルミ合金板が好ましい。
前記の所定寸法で所定形状の載置台に関しては、本発明の前記載置台を前記座部や前記座板の下側から出し入れ自在にする技術的手段を達成した状態において、前記座部の周縁部や前記座板の周縁部からはみ出さない程度の寸法または邪魔にならない程度の寸法が好ましい。
前記の載置台の上面の所定部位に関しては、前記作動金具を前記の一対のレール金具に合わせて嵌合させ、前記座部や前記座板の下側から出し入れ自在にする技術的手段を達成した状態において、前記座部の周縁部や前記座板の周縁部からはみ出さない位置であるということである。
前記の作動金具の材質に関しては、金属製でも木製でもプラスチック製でも構わないが、金属製であれば耐久性の問題とメンテナンス性の問題とコストパフォーマンスの問題でステンレス製または亜鉛鍍金鋼板またはアルミ板またはアルミ合金板が好ましく、プラスチック製であればエンジニアリングプラスチックの使用が好ましい。
前記固定の技術的手段に関しては、着脱性に困難な状態が生じるくぎ式や接着剤方式や、着脱可能に固定される固定手段に関しては、ネジ式、ボルト式、嵌め込み金具式、などの中から選択して用いればよい。【００１９】  課題を解決するための第五の手段として、前記載置台を出し入れ自在にする技術的手段として、所定寸法で所定形状の前記載置台の一端および対向する他端が摺動自在に嵌合するようにした一対のスライドレールまたは一つのスライド金具を前記座部の下側または前記座板の下面または上側の所定部位に固定したことで、前記載置台が所定の距離をスライドしたり元の位置に収納したりすることを特徴とする、課題を解決するための第一の手段から課題を解決するための第三の手段のいずれかに記載の物品載置台付の椅子の提供を目的とする。【００２０】  前記の一対のスライドレールまたは一つのスライド金具に関しては、例えば一対のスライドレールに関しては前記載置台の一端および対向する他端が摺動自在に嵌合するための構造として前記載置台の一端および対向する他端を挟み込むように断面が略コの字または略Ｕの字形状であることが好ましく、例えば一つのスライド金具に関しては前記載置台の一端の一部またはおおよそ全ておよび対向する他端の一部またはおおよそ全てが摺動自在に嵌合するための構造として前記載置台の一端および対向する他端を挟み込むように断面が略コの字または略Ｕの字形状であることが好ましい。
前記の座部の下側または座板の下面または上側の所定部位に関しては、課題を解決するための第四の手段に記載した内容に順ずる。
前記の一対のスライドレールおよび前記の一つのスライド金具の材質に関しては、金属製でも木製でもプラスチック製でも構わないが、金属製であれば耐久性の問題とメンテナンス性の問題とコストパフォーマンスの問題でステンレス製または亜鉛鍍金鋼板またはアルミ板またはアルミ合金板が好ましく、プラスチック製であればエンジニアリングプラスチックの使用が好ましい。
前記の所定寸法で所定形状の載置台に関しては、課題を解決するための第四の手段に記載した内容に順ずる。
前記固定の技術的手段に関しては、課題を解決するための第四の手段に記載した内容に順ずる。【００２１】  課題を解決するための第六の手段として、前記載置台を出し入れ自在にする技術的手段として、所定寸法で所定形状の前記載置台の一部または全体を収納できるようにし少なくとも一端に開口部を有する筒型形状または箱型形状を形成し、前記形状を前記載置台の下面または／及び上面または／及び両側面が摺動自在になるようにし前記座部の下側または前記座板の下面または上側の所定部位に固定したことで、前記載置台が所定の距離をスライドしたり元の位置に収納したりすることを特徴とする、課題を解決するための第一の手段から課題を解決するための第三の手段のいずれかに記載の物品載置台付の椅子の提供を目的とする。【００２２】  前記の所定寸法で所定形状の載置台に関しては、課題を解決するための第四の手段に記載した内容に順ずる。
前記の座部の下側または座板の下面または上側の所定部位に関しては、課題を解決するための第四の手段に記載した内容に順ずる。
前記の筒型形状または箱型形状の形成手段に関しては、前記載置台の寸法に応じて設計すればよく、材質に関しては金属製でも木製でもプラスチック製でも構わないが、金属製であれば耐久性の問題とメンテナンス性の問題とコストパフォーマンスの問題でステンレス製または亜鉛鍍金鋼板またはアルミ板またはアルミ合金板が好ましく、プラスチック製であればエンジニアリングプラスチックまたは強度的に十分なタイプのプラスチックの使用が好ましい。また成形手段に関しては、金属製で板状を使用する場合であれば板金加工やプレス加工を用いて所定の形状に成形すればよく、プラスチック製で板状であればプレス加工を用いて所定の形状に成形すればよく、プラスチック製でチップ状であれば所定の金型を用いて所定の形状に押出し成形すればよい。また前記形状の一部または大部分に切り欠き部が設けられていてもよい。
前記固定の技術的手段に関しては、課題を解決するための第四の手段に記載した内容に順ずる。【００２３】  課題を解決するための第七の手段として、前記載置台を出し入れ自在にする技術的手段として、前記載置台が長手方向または横手方向に対して伸縮可能になるような構造体であり、前記伸縮構造体が少なくとも複数以上の所定寸法で所定形状の収納構造体で構成され、前記載置台を前記座部の下側または前記座板の下面または上側の所定部位に固定したことで、前記載置台が所定の距離をスライドしたり元の位置に収納したりすることを特徴とする、課題を解決するための第一の手段から課題を解決するための第三の手段のいずれかに記載の物品載置台付の椅子の提供を目的とする。【００２４】  前記の収納構造体の形状に関しては、少なくとも一端が開口して板状になっていれば、筒型形状でも箱型形状でもよく、また前記形状の一部または大部分に切り欠き部が設けられていてもよい。
前記の筒型形状または箱型形状に関しては、前記座部または前記座板の寸法に応じて設計すればよく、材質に関しては金属製でも木製でもプラスチック製でも構わないが、金属製であれば耐久性の問題とメンテナンス性の問題とコストパフォーマンスの問題でステンレス製または亜鉛鍍金鋼板またはアルミ板またはアルミ合金板が好ましく、プラスチック製であればエンジニアリングプラスチックまたは強度的に十分なタイプのプラスチックの使用が好ましい。また成形手段に関しては、金属製で板状を使用する場合であれば板金加工やプレス加工を用いて所定の形状に成形すればよく、プラスチック製で板状であればプレス加工を用いて所定の形状に成形すればよく、プラスチック製でチップ状であれば所定の金型を用いて所定の形状に押出し成形すればよい。
前記の複数の所定寸法の収納構造体の形成手段に関しては、前記収納構造体が複数以上の収納構造体で構成されているということは、例えば前記収納構造体が、収納構造体Ａ、収納構造体Ｂ、収納構造体Ｃ、収納構造体Ｄで構成されているとして、夫々が、Ａ＜Ｂ＜Ｃ＜Ｄという関係であった場合には、収納構造体Ａは摺動自在かつ出し入れ自在になるよう収納構造体Ｂに収納され、収納構造体Ｂは摺動自在かつ出し入れ自在になるよう収納構造体Ｃに収納され、収納構造体Ｃは摺動自在かつ出し入れ自在になるよう収納構造体Ｄに収納されることで、前記収納構造体は伸縮自在な構造体となる。
前記座部の下側または前記座板の下面または上側の所定部位に関しては、課題を解決するための第四の手段に記載した内容に順ずる。
前記固定の技術的手段に関しては、課題を解決するための第四の手段に記載した内容に順ずる。
【発明の効果】
【発明の効果】
【００２５】  本発明の物品載置台付の椅子を、例えば前記遊戯場や前記ゲームセンターなどに提供することで、下記のような発明の効果が期待できる。
Ａ．遊技者が少なくとも一つの「玉箱」や「コイン箱」を支えるさいに、椅子の近くに十分な載置スペースを確保することが可能になり、遊技者は遊技に専念でき楽しむことができる。
Ｂ．汎用性があり、例えば、前記遊戯場や前記ゲームセンターなどで使用されている椅子に本発明の物品載置台を取り付けることが可能であり、結果的に前記遊戯場や前記ゲームセンターなどで使用されている椅子を本発明の物品載置台付の椅子に変換させることが可能になり、商品性が高く、経済的である。
Ｃ．例えばパチンコ台の遊技者であれば遊技中に景品の玉をかきだす際に「玉箱」を、例えばスロットマシーンの遊技者であれば遊技中に景品のコインをかきだす際に「コイン箱」を固定でき、遊技者は疲れず、安心してプレイできる。
Ｄ．本発明の椅子の利用者は手荷物、財布、車のキー等の貴重品や女性であればハンドバックを目の前に安心して置くことができるので、遊技者は遊技に専念でき楽しむことができ、さらに前記利用者が椅子を使用をやめ椅子から立ち去ろうとするときでも、うっかりして前記物品を置き忘れる恐れを低減できる。
Ｅ．既存の椅子に対して、後付けができるために、業者に依頼せずとも社内のスタッフでも施工ができ、経済的である。【００２６】  本発明の物品載置台付の椅子を導入することで、本発明の椅子の利用者がいない場合は前記載置台は座部の下側に収納されているので、他の利用者の邪魔になったり足を引っ掛けて怪我をするという問題がないので安全性が高く、使用感の良好な物品載置台付きの椅子を提供できる。【００２７】  本発明の物品載置台付の椅子を、例えば映画館や劇場やスポーツ観戦席などに提供することで、下記のような発明の効果が期待できる。
Ｆ．飲食が可能な館内や劇場内や各種スポーツ観戦施設において、入館者や観劇者や観戦者が持参した飲食物を支えるさいに、椅子の近くに十分な載置スペースを確保することが可能になり、入館者や観劇者や観戦者は映画や観劇やスポーツ観戦に専念でき楽しむことができる。
Ｇ．飲食が許されていない館内や劇場内や各種スポーツ観戦施設においては、入館者や観劇者や観戦者が持参した手荷物や貴重品などの載置スペースを椅子の近くに十分な載置スペースを増設することが可能になり、入館者や観劇者や観戦者は映画や観劇やスポーツ観戦に専念でき楽しむことができる。
Ｈ．本発明の椅子の利用者は手荷物、財布、車のキー等の貴重品や女性であればハンドバックを目の前に安心して置くことができるが、さらに映画や観劇が終了して本発明の椅子の利用者が椅子を使用をやめ椅子から立ち去ろうとするときでも、うっかりして貴重品を置き忘れる恐れを低減できる。
Ｉ．既存の椅子に対して、後付けができるために、業者に依頼せずとも社内のスタッフでも施工ができ、経済的である。
【発明を実施するための最良の形態】
【００２８】
【００２９】  以下、本発明の物品載置台付の椅子の実施の形態について、図１〜図１３に基づいて説明する。
図１は本発明の実施の形態例を示す側面図であり、図２は本発明の実施の形態例を示す側面図であり、図３は本発明の実施の形態例を示す側面図であり、図４は本発明の実施の形態例を示す平面図であり、図５は本発明の実施の形態例を示す側面図であり、図６は本発明の実施の形態例を示す側面図であり、図７は本発明の実施の形態例を示す側面図であり、図８は本発明の実施の形態例を示す平面図であり、図９は本発明の実施の形態例を示す側面図であり、図１０は本発明の実施の形態例を示す側面図であり、図１１は本発明の実施の形態例を示す平面図であり、図１２は本発明の実施の形態例を示す側面図であり、図１３は本発明の実施の形態例を示す平面図である。
【実施例１】
【００３０】  図１から図４は請求項１から請求項４の実施の形態について説明しており、１０は一般的に用いられているタイプの椅子であり、椅子１０は椅子の基本要素であり人体の臀部を設置させる役目である座部１３と人体の背部を支える役目である背凭れ部１５と座部１３の下側に位置し地面や床面との距離を持たせる役目である脚部１４で構成されており、本実施の形態例では脚部１４は一つのタイプを紹介しているが脚部や支柱や支脚を複数以上設けたタイプでも構わない。また、座部１３は着座部１１と座板１２で形成され、１２ａは座板１２の上面を示し、１２ｂは座板１２の下面を示しており、１３ａは座部１３の上側を示し、１３ｂは座部１３の下側を示している。【００３１】  また、図１から図４の実施の形態例では、２０は物品を載置するための載置台であり、２１は載置台２０の上面であり、２２は載置台２０の下面であり、１６は座板下面１２ｂに前記固定手段によって固定した所定寸法の一対のレール金具であり、レール金具１６はレール金具１６ａとレール金具１６ｂで一対になっており、レール金具１６ａとレール金具１６ｂは対向かつ所定の間隔で固定されており、２３は載置台上面２１の所定の位置に固定される一対の作動金具であり、作動金具２３は作動金具２３ａと作動金具２３ｂで一対になっている。レール金具１６ａと作動金具２３ａは互いに摺動自在に嵌合するように形成させてあり、レール金具１６ｂと作動金具２３ｂは互いに摺動自在に嵌合するように形成させてあることで、載置台２０が所定の距離をスライドしたり元の位置に収納したりするという技術的手段を講じた結果、載置台２０は座部下側１３ｂにて出し入れ自在になるような物品載置台付の椅子を提供できる。【００３２】  さらに、載置台２０が所定の距離をスライドしたり元の位置に収納したりするという技術的手段を図面を基にして詳細に説明すると、図１と図２より、Ｓ１はレール金具１６と作動金具２３が作動していない状態すなわち載置台２０が座板下面１２ｂの位置であり座部上側１３ａから見た場合に座部１３または座板１２の周縁部からはみ出さないか邪魔にならない程度の位置に収納されている状態を示しており、Ｓ２はレール金具１６と作動金具２３を作動すなわち載置台２０を座部１３または座板１２の周縁部から外側に向かって引き出すことで載置台上面２１に物品が置ける状態を示している。
また、図３と図４より、Ｇは物品を示しており、載置台２０が引出し状態Ｓ２の状態にあることで載置台２０に物品Ｇが載置されている状況を示しており、載置台２０の使用を終了する場合は、物品Ｇを引き払い、レール金具１６と作動金具２３を作動させ載置台２０を収納状態Ｓ１の位置に戻せばよい。
実施例１の発明は以上の構成による。
【実施例２】
【００３３】  図５から図８は請求項１から請求項３および請求項６の実施の形態について説明しており、１０は一般的に用いられているタイプの椅子であり、椅子１０は椅子の基本要素であり人体の臀部を設置させる役目である座部１３と人体の背部を支える役目である背凭れ部１５と座部１３の下側に位置し地面や床面との距離を持たせる役目である脚部１４で構成されており、本実施の形態例では脚部１４は一つのタイプを紹介しているが脚部や支柱や支脚を複数以上設けたタイプでも構わない。また、座部１３は着座部１１と座板１２で形成され、１２ａは座板１２の上面を示し、１２ｂは座板１２の下面を示しており、１３ａは座部１３の上側を示し、１３ｂは座部１３の下側を示している。【００３４】  また、図５から図８の実施の形態例では、３０は物品を載置するための載置台であり、３１は載置台３０の上面であり、３２は載置台３０の下面であり、１７は座板下面１２ｂに前記固定手段によって固定した所定寸法の箱型形状であり、箱型形状１７は一端に開口部を有するタイプと対向する他端にも開口部を有するタイプとが考えられるが本実施例では一端に開口部を有するタイプを図示する。また箱型形状１７は載置台３０の一端を除いたほぼ全体を収納し摺動自在にかつ出し入れ自在にできるように形成し、座板下面１２ｂの所定部位に着脱可能な手段を講じて固定されることで、載置台３０が所定の距離をスライドしたり元の位置に収納したりするという技術的手段を講じた結果、載置台３０は座部下側１３ｂにて出し入れ自在になるような物品載置台付の椅子を提供できる。【００３５】  さらに、載置台３０が所定の距離をスライドしたり元の位置に収納したりするという技術的手段を図面を基にして詳細に説明すると、図５と図６より、Ｓ１は載置台３０が箱型形状１７に座板下面１２ｂの位置であり座部上側１３ａから見た場合に座部１３または座板１２の周縁部からはみ出さないか邪魔にならない程度の位置に収納されている状態を示しており、Ｓ２は箱型形状１７に収納されている載置台３０を座部１３または座板１２の周縁部から外側に向かって引き出すことで載置台上面３１に物品が置ける状態を示している。
また、図７と図８より、Ｇは物品を示しており、載置台３０が引出し状態Ｓ２の状態にあることで載置台３０に物品Ｇが載置されている状況を示しており、載置台３０の使用を終了する場合は、物品Ｇを引き払い、載置台３０の側面や載置台上面３１や載置台下面３２を箱型形状１７の内面に摺動させ載置台３０を収納状態Ｓ１の位置に戻せばよい。
実施例２の発明は以上の構成による。
【実施例３】
【００３６】  図９から図１３は請求項１から請求項３および請求項７の実施の形態について説明しており、１０は一般的に用いられているタイプの椅子であり、椅子１０は椅子の基本要素であり人体の臀部を設置させる役目である座部１３と人体の背部を支える役目である背凭れ部１５と座部１３の下側に位置し地面や床面との距離を持たせる役目である脚部１４で構成されており、本実施の形態例では脚部１４は一つのタイプを紹介しているが脚部や支柱や支脚を複数以上設けたタイプでも構わない。また、座部１３は着座部１１と座板１２で形成され、１２ａは座板１２の上面を示し、１２ｂは座板１２の下面を示しており、１３ａは座部１３の上側を示し、１３ｂは座部１３の下側を示している。【００３７】  また、図９から図１３の実施の形態例では、物品を載置するための載置台は複数の収納構造体で構成されており、それぞれ収納構造体４０、収納構造体５０、収納構造体６０で示され、収納構造体４０＜収納構造体５０＜収納構造体６０になるようにそれぞれが摺動自在にかつ出し入れ自在にできるように形成され、収納構造体４０は収納構造体５０に収納され、収納構造体５０は収納構造体６０に収納されるようになっている。また、４１は収納構造体４０の上面であり、５１は収納構造体５０の上面であり、６１は収納構造体６０の上面であり、収納構造体上面６１は座板下面１２ｂに前記固定手段によって着脱可能な手段で固定されている。
また、収納構造体４０は一端に開口部を有するか全面が閉じている箱型形状または板状体であり、収納構造体５０は一端または対向する他端に開口部を有する箱型形状であり、収納構造体６０は一端または対向する他端に開口部を有する箱型形状であり、収納構造体５０は収納構造体４０の一端を除いたほぼ全体を収納し摺動自在にかつ出し入れ自在にできるように形成し、収納構造体６０は収納構造体５０の一端を除いたほぼ全体を収納し摺動自在にかつ出し入れ自在にできるように形成されることで、収納構造体４０および収納構造体５０が所定の距離をスライドしたり元の位置に収納したりするという技術的手段を講じた結果、収納構造体４０および収納構造体５０は座部下側１３ｂにて出し入れ自在になるような物品載置台付の椅子を提供できる。【００３８】  さらに、収納構造体４０および収納構造体５０が所定の距離をスライドしたり元の位置に収納したりするという技術的手段を図面を基にして詳細に説明すると、図９と図１０より、Ｓ１は収納構造体４０が収納構造体５０に収納され収納構造体５０が収納構造体６０に収納されている状態を示しており、Ｓ２は収納構造体６０に収納されている収納構造体５０および収納構造体５０に収納されている収納構造体４０を座部１３または座板１２の周縁部から外側に向かって引き出すことで収納構造体上面４１および収納構造体上面５１に物品が置ける状態を示している。
また、図１１から図１３より、Ｇは物品を示しており、収納構造体４０および収納構造体５０が引出し状態Ｓ２の状態にあることで収納構造体上面４１および収納構造体上面５１に物品Ｇが載置されている状況を示しており、収納構造体４０および収納構造体５０の使用を終了する場合は、物品Ｇを引き払い、収納構造体４０および収納構造体５０の両側面や収納構造体上面４１および収納構造体上面５１や収納構造体４０および収納構造体５０の下面を収納構造体６０の内面に摺動させ収納状態Ｓ１の位置に戻せばよい。
実施例３の発明は以上の構成による。
【実施例４】
【００３９】
【００４２】  上記構成は一例であって、前記載置台を出し入れ自在にする技術的手段は上記実施例に限定されるものではない。その他、この発明の要旨を変更しない範囲で種々設計変更しうること勿論である。
【産業上の利用可能性】
【００４３】
【図面の簡単な説明】
【００４４】
【図１】本発明の実施の形態例を示す側面図である。
【図２】本発明の実施の形態例を示す側面図である。
【図３】本発明の実施の形態例を示す側面図である。
【図４】本発明の実施の形態例を示す平面図である。
【図５】本発明の実施の形態例を示す側面図である。
【図６】本発明の実施の形態例を示す側面図である。
【図７】本発明の実施の形態例を示す側面図である。
【図８】本発明の実施の形態例を示す平面図である。
【図９】本発明の実施の形態例を示す側面図である。
【図１０】本発明の実施の形態例を示す側面図である。
【図１１】本発明の実施の形態例を示す平面図である。
【図１２】本発明の実施の形態例を示す側面図である。
【図１３】本発明の実施の形態例を示す平面図である。
【符号の説明】
【００２８】１０      椅子
１１      着座部
１２      座板
１２ａ    座板上面
１２ｂ    座板下面
１３      座部
１３ａ    座部上側
１３ｂ    座部下側
１４      脚部
１５      背凭れ部
１６，１６ａ，１６ｂ    レール金具
１７      箱型形状
２０，３０      載置台
２１，３１      載置台上面
２２，３２      載置台下面
２３，２３ａ，２３ｂ    作動金具
４０，５０，６０      収納構造体
４１，５１，６１      収納構造体上面
Ｓ１      収納状態
Ｓ２      引出し状態
Ｇ        物品
【図１】
2005323985.tif 000003
【図２】
2005323985.tif 000004
【図３】
2005323985.tif 000005
【図４】
2005323985.tif 000006
【図５】
2005323985.tif 000007
【図６】
2005323985.tif 000008
【図７】
2005323985.tif 000009
【図８】
2005323985.tif 000010
【図９】
2005323985.tif 000011
【図１０】
2005323985.tif 000012
【図１１】
2005323985.tif 000013
【図１２】
2005323985.tif 000014
【図１３】
2005323985.tif 000015